(57)【特許請求の範囲】
【請求項１】
路肩の水平な平坦面に設置される矩形板状の第一ブロックと、
路肩の法面に、前記第一ブロックと連結して法面の下方に延長して設置される矩形板状の第二ブロックとからなる路肩用防草ブロックであって、
前記第一ブロックの法面側の左右両側面のうちの一側面と前記第二ブロックの路肩側の左右両側面のうちの一側面とを、法面の傾斜角度に応じた角度で連結プレートにより連結し、
前記第一ブロック及び前記第二ブロックの底面には、滑り止めの複数の突起物を形成し、
前記第一ブロックの道路側には、長手方向の上面に防草機能を有する凸条部を形成し、
前記第一ブロックと前記第二ブロックの短手方向の両側面には、防草機能を備えた互いに上下に噛み込み式の上下連結部を有し、当該上下連結部には、短手方向の位置決めのためのガイドピンの挿入口を形成し、
前記第一ブロックと前記第二ブロックには、路肩の平坦面及び法面に当該第一ブロック及び当該第二ブロックを固設するための杭の貫通孔が複数設けられていることを特徴とする路肩用防草ブロック。
【請求項２】
前記連結プレート両端には、前記第一ブロックの法面側の一側面と前記第二ブロックの路肩側の一側面とを連結するボルトの挿入孔を有し、
前記挿入孔は、横方向に長い楕円形に形成されていることを特徴とする請求項１に記載の路肩用防草ブロック。
【発明の詳細な説明】
【技術分野】
【０００１】
本発明は、道路の路肩から法面にかけて設置されるコンクリート二次製品である路肩用防草ブロックに関する。
【背景技術】
【０００２】
従来、傾斜面を有する土地に新たな道路を建設するためには、盛土や切土を行い所定幅の平坦な地面を造成し、この平坦な地面に道路を建設している。そして、建設される道路の表面は、走行する車両の荷重や雨水等による経年変化による損傷を防止するために、各種工法によりアスファルト等で舗装されている。
【０００３】
しかしながら、道路の路肩から下方に傾斜する法面は、雨水等により経年的に侵食されて崩壊する恐れがあり、また、雑草が繁茂してガードレールや標識が見え難くなるなど通行の安全を脅かす恐れがある。このため、路肩の平坦面から路肩の法面にかけて側面視で「へ」字状のブロックを設置したり、路肩の平坦面にブロックを設置し、このブロックから法面をシートで覆ったりすることで、路肩の補強が行うとともに、法面に雑草等が繁茂することを防止している。
【０００４】
このような、路肩を補強するためのコンクリートブロックとして、水平面ブロック板と傾斜面ブロック板とにより側面視で「へ」字状のブロックを構成し、水平面ブロック板の端縁部と傾斜面ブロック板の端縁部にそって相互に係止する複数個の係止部とフック部とを配設した路肩コンクリートブロックが開示されている。（特許文献１参照。）
【先行技術文献】
【特許文献】
【０００５】
【特許文献１】特開平０７−２６８８３０号公報
【発明の概要】
【発明が解決しようとする課題】
【０００６】
特許文献１に記載の路肩コンクリートブロックは、水平面ブロック板と傾斜面ブロック板を複数の係止部とフック部によって、法面の傾斜角度に応じて自在に繋ぐことはできるが、道路の路肩に沿って設置される水平面ブロック板間の横の連結や法面に沿って傾斜面ブロック板を延長する場合のブロック間の横の連結については考慮がなされていない。このため、水平面ブロック板体同士の連結部や傾斜面ブロック板同士の連結部に隙間が生じ、この隙間から雑草が生えることを完全に防止することができない。
【０００７】
本発明は、上記課題を解決するために、路肩の水平な平坦面と法面とをそれぞれ被覆する二種類のブロックを、法面の勾配に応じて設置することができるように構成するとともに、平坦面と法面に設置される二種類のブロック間の連結部から雑草が生える恐れのない路肩用防草ブロックを提供することを目的とする。
【課題を解決するための手段】
【０００８】
上記目的を達成するために、本発明は以下の技術を提供する。
【０００９】
本発明は、路肩の水平な平坦面に設置される矩形板状の第一ブロックと、路肩の法面に、前記第一ブロックと連結して法面の下方に延長して設置される矩形板状の第二ブロックとからなる路肩用防草ブロックであって、前記第一ブロックの法面側の左右両側面のうちの一側面と前記第二ブロックの路肩側の左右両側面のうちの一側面とを、法面の傾斜角度に応じた角度で連結プレートにより連結し、前記第一ブロック及び前記第二ブロックの底面には、滑り止めの複数の突起物を形成し、前記第一ブロックの道路側には、長手方向の上面に防草機能を有する凸条部を形成し、前記第一ブロックと前記第二ブロックの短手方向の両側面には、防草機能を備えた互いに上下に噛み込み式の上下連結部を有し、当該上下連結部には、短手方向の位置決めのためのガイドピンの挿入口を形成し、前記第一ブロックと前記第二ブロックには、路肩の平坦面及び法面に当該第一ブロック及び当該第二ブロックを固設するための杭の貫通孔が複数設けられていることを特徴とする路肩用防草ブロックとした。
【００１０】
また、前記連結プレート両端には、前記第一ブロックの法面側の一側面と前記第二ブロックの路肩側の一側面とを連結するボルトの挿入孔を有し、前記挿入孔は、横方向に長い楕円形に形成されていることを特徴とする。
【発明の効果】
【００１１】
本発明は、路肩の水平な平坦面に設置される矩形板状の第一ブロックと、路肩の法面に、第一ブロックと連結して法面の下方に延長して設置される矩形板状の第二ブロックとからなる路肩用防草ブロックであって、第一ブロックの法面側の左右両側面のうちの一側面と第二ブロックの路肩側の左右両側面のうちの一側面とを、法面の傾斜角度に応じた角度で連結プレートにより連結している。このため、第一ブロックの法面側の一側面の下端部と第二ブロックの路肩側の一側面の下端部とには、ボルト締結穴が設けられている。また、連結プレート両端には、第一ブロックの法面側の一側面の下端部と第二ブロックの路肩側の一側面の下端部とを連結するボルト挿入孔を有し、このボルト挿入孔は、横方向に長い楕円形に形成されている。
【００１２】
この構成により、路肩の水平な平坦面に設置された第一ブロックの法面側の左右両側面のうちの一側面の下端部と、路肩の法面に設置された第二ブロックの路肩側の左右両側面のうちの一側面の下端部とを、それぞれ連結プレートのボルト挿入孔を介してボルト締結穴にボルトを挿入して締結することで、路肩の水平な平坦面と法面との境界部に、路肩用防草ブロックを構成する第一ブロックと第二ブロックとを側面視で「へ」字状に一体として設置することを可能としている。
【００１３】
さらに、連結プレート両端に設けられたボルト挿入孔は、横方向に長い楕円形に形成されているため、このボルト挿入孔に挿入されるボルトの位置を横方向に変更することで、第一ブロックの法面側の下縁部と、第二ブロックの路肩側の上縁部との間隔を調整することができ、法面の傾斜角度に応じて、第一ブロックの法面側の下縁部に連結される第二ブロックの角度を調整可能としている。
【００１４】
また、第一ブロック及び第二ブロックの底面には、滑り止めの複数の突起物を形成しているため、路肩の水平な平坦面と法面との境界部への第一ブロック及び第二ブロックを設置する際に、特に、傾斜のある法面に設置される第二ブロックの下方へのずり下がりを抑えることができるので、路肩用防草ブロックの設置工事（設置作業）が容易となる。
【００１５】
また、第一ブロックの長手方向の道路側の上面には、所定幅で下方に位置する段差面が設けられており、この段差面の略中央部には、防草機能を有する凸条部を第一ブロックの段差面の上面に長手方向に突出して形成している。この第一ブロックの長手方向の道路側の段差面には、道路を舗装するアスファルトが重複して施工される。このように構成することで、第一ブロックと道路のアスファルトとの接合部分、すなわち、第一ブロックの段差面は、第一ブロックの段差面に形成された凸条部と接合部分として嵌着することになり、接合部分が凸条部によって長手方向に伸延した長手接合面を形成する。これにより、下方や水平方向に生長するものの上方生長は阻害されるという雑草根の習性により雑草の生長を阻害することができる。これにより、第一ブロックと道路との接合部分の土壌内に雑草が生長することを回避することができる。すなわち、第一ブロックの段差面の上面に形成された凸条部は、第一ブロックと道路との接合部分に雑草が生育することを防ぐための防草対策として機能することになる。
【００１６】
また、第一ブロックと第二ブロックの短手方向の両側面は、防草機能を備えた互いに上下に噛み込み式の上下連結部を有し、当該上下連結部には、短手方向（横方向）の連結の位置決めのためのガイドピンの挿入口を上下に形成している。これにより、本発明の路肩用防草ブロックの施工現場に応じて、道路の長手方向に第一ブロック及び第二ブロックを連続して設置する場合に、第一ブロック及び第二ブロックの両側面に設けられた上下連結部を、互いに上下に噛み込ませて連結することにより、第一ブロック及び第二ブロックの横方向の連結部に隙間が生じることを防止している。
【００１７】
また、第一ブロックと第二ブロックの連結部の上下に設けたガイドピンの挿入口にガイドピンを挿入して連結することで、道路の長手方向（横方向）の連結の位置決めを容易に行うことができ、第一ブロックと第二ブロックの横方向の精度よく連結することができる。
【００１８】
また、第一ブロックと第二ブロックには、路肩の平坦面及び法面に当該第一ブロック及び当該第二ブロックを固設するための杭の貫通孔が複数設けられている。この複数の貫通孔に、鉄製の杭を打ち込むことで、路肩の水平な平坦面に第一ブロックを、路肩の法面に第二ブロックを固設することができる。
【図面の簡単な説明】
【００１９】
【図１】本実施形態に係る路肩用防草ブロックの路肩への設置を示す断面図である。
【図２】本実施形態に係る路肩用防草ブロックの第一ブロックの構成を説明する図である。
【図３】本実施形態に係る路肩用防草ブロックの第一ブロックの両側面の上下連結部の構成を示す正面図である。
【図４】本実施形態に係る路肩用防草ブロックの第一ブロックと第二ブロックの連結を示す側面図である。
【図５】本実施形態に係る路肩用防草ブロックの第一ブロック及び第二ブロックを横方向に連結した状態を示す平面図である。
【図６】本実施形態に係る路肩用防草ブロックの法面に延長して設置される第二ブロックの連結を示す側面図である。
【図７】本実施形態に係る路肩用防草ブロックの設置状態を示す斜視図である。
【発明を実施するための形態】
【００２０】
本発明の要旨は、路肩の水平な平坦面に設置される矩形板状の第一ブロックと、路肩の法面に、前記第一ブロックと連結して法面の下方に延長して設置される矩形板状の第二ブロックとからなる路肩用防草ブロックであって、前記第一ブロックの法面側の左右両側面のうちの一側面と前記第二ブロックの路肩側の左右両側面のうちの一側面とを、法面の傾斜角度に応じた角度で連結プレートにより連結し、前記第一ブロック及び前記第二ブロックの底面には、滑り止めの複数の突起物を形成し、前記第一ブロックの道路側には、長手方向の上面に防草機能を有する凸条部を形成し、前記第一ブロックと前記第二ブロックの短手方向の両側面には、防草機能を備えた互いに上下に噛み込み式の上下連結部を有し、当該上下連結部には、短手方向の位置決めのためのガイドピンの挿入口を形成し、前記第一ブロックと前記第二ブロックには、路肩の平坦面及び法面に当該第一ブロック及び当該第二ブロックを固設するための杭の貫通孔が複数設けられていることを特徴とする路肩用防草ブロックに関する。
【００２１】
以下、図１〜図７を参照して、本発明における路肩用防草ブロックの実施形態の一例を説明する。図１は、本実施形態に係る路肩用防草ブロックの路肩への設置を示す断面図である。図２は、本実施形態に係る路肩用防草ブロックの第一ブロックの構成を説明する図である。図３は、本実施形態に係る路肩用防草ブロックの第一ブロックの両側面の上下連結部の構成を示す正面図である。図４は、本実施形態に係る路肩用防草ブロックの第一ブロックと第二ブロックの連結を示す側面図である。図５は、本実施形態に係る路肩用防草ブロックの第一ブロック及び第二ブロックを横方向に連結した状態を示す平面図である。図６は、本実施形態に係る路肩用防草ブロックの法面に延長して設置される第二ブロックの連結を示す側面図である。図７は、本実施形態に係る路肩用防草ブロックの設置状態を示す斜視図である。
【００２２】
図１又は図２に示すように、本実施形態の路肩用防草ブロック１は、路肩の水平な平坦面Ｈに設置される矩形板状の第一ブロック１０と、路肩の法面Ｎに設置される矩形板状の第二ブロック２０から構成されている。第一ブロック１０及び第二ブロック２０は、コンクリートの二次製品であり、一例として、長手方向の長さ１０００ｍｍ、短手方向の幅５００ｍｍ、高さ（厚み）２００ｍｍの矩形板状に形成されている。路肩の水平な平坦面Ｈ及び法面Ｎの第一ブロック１０及び第二ブロック２０の設置表面は、予め基礎砕石Ｋｓが施工されている。
【００２３】
第一ブロック１０の左右両側面のうちの一側面（図２中では右側面）の下部には、連結プレートであるプレートＰの連結溝１４が法面側１０ａの下端部に形成されている。第二ブロック２０の左右両側面のうちの一側面の下部には、連結プレートであるプレートＰの連結溝２４が路肩側２０ｂの上端部に形成されている。この連結溝１４及び連結溝２４には、略中央部にボルト挿入用の雌ネジであるボルト締結穴１４ａ、２４ａ（図７参照）がそれぞれ形成されている。そして、鉄製の矩形板状のプレートＰの両端近傍にそれぞれ形成されたボルト挿入孔ＰＬ、ＰＲ（図４参照）を介して、雄ネジであるボルトＢをそれぞれボルト締結穴１４ａ、２４ａに締結することにより、第一ブロック１０の法面側の左右両側面のうちの一側面と第二ブロック２０の路肩側の左右両側面のうちの一側面が連結される。この構成により、路肩の水平な平坦面Ｈと法面Ｎとの境界部に、路肩用防草ブロック１を構成する第一ブロック１０と第二ブロック２０とを、側面視で「へ」字状に一体として設置することを可能としている。
【００２４】
また、第一ブロック１０及び第二ブロック２０には、路肩の平坦面Ｈ及び法面Ｎに当該第一ブロック１０及び当該第二ブロック２０をそれぞれ固設するための杭Ｋの貫通孔１１及び貫通孔２１が横方向に所定の間隔を空けて複数（本実施形態では２箇所）設けられている。この貫通孔１１及び貫通孔２１は、第一ブロック１０及び第二ブロック２０の表面から裏面に垂直に貫通して形成される。そして、貫通孔１１及び貫通孔２１に、鉄製の杭Ｋを打ち込むことで、路肩の水平な平坦面Ｈに第一ブロック１０を固設し、法面Ｎに第二ブロック２０を固設することができる。なお、杭Ｋを打ち込んだ後の杭Ｋ上部の貫通孔１１及び貫通孔２１は、モルタル等により、第一ブロック１０及び第二ブロック２０の表面と面一に補修される。このように、横方向に所定の間隔を空けて複数（本実施形態では２箇所）の貫通孔１１及び貫通孔２１に杭Ｋを打ち込むことで、第一ブロック１０及び第二ブロック２０を横方向（短手方向）にずれることなく路肩の平坦面Ｈ及び法面Ｎにそれぞれ固設することができる。
【００２５】
路肩の水平な平坦面Ｈに設置された第一ブロック１０には、ガードレールＧＲが設置される場合がある。このガードレールＧＲは、第一ブロック１０の一部を切り欠いて設置される。なお、ガードレールＧＲだけではなく道路標識等が設置される場合もある。また、第一ブロック１０の底面には、滑り止めの複数の突起１３が下方に突出して設けられている。第二ブロック２０の底面には、滑り止めの複数の突起２３が下方に突出してそれぞれ設けられている。この突起１３、２３はスパイク状の突起であり、路肩の水平な平坦面Ｈと法面Ｎとの境界部への第一ブロック１０及び第二ブロック２０を設置する際に、特に、傾斜のある法面Ｎに設置される第二ブロック２０の下方へのずり下がり（下方に滑る）を抑えることができ、路肩用防草ブロック１の設置工事を容易としている。
【００２６】
第一ブロック１０の長手方向の道路側の上面１０Ａには所定高さ（例えば、５０ｍｍ）低い段差面１５が形成されており、この段差面１５の短手方向の略中央部には、防草機能を有する凸条部１２を第一ブロック１０の長手方向に突出して形成している。この第一ブロック１０の長手方向の段差面１５の上面は、車両Ｃが走行するために舗装施工されるアスファルトＡｓとの重複部である。これにより、第一ブロック１０と道路のアスファルトＡｓとの重複部は、第一ブロック１０の段差面１５の上面に形成された凸条部１２を接合部分として嵌着することになり、接合部分が凸条部１２によって長手方向に伸延した長手接合面を形成する。これにより、下方や水平方向に生長するものの上方生長は阻害されるという雑草根の習性により雑草の生長が阻害される。従って、第一ブロック１０と道路のアスファルトＡｓとの接合部分の土壌内に雑草が生長することを回避することができる。すなわち、第一ブロック１０の段差面１５の上面に形成された凸条部１２は、第一ブロック１０と道路のアスファルトＡｓとの接合部分に雑草が生育することを防ぐための防草対策として機能することになる。
【００２７】
図２に示すように、第一ブロック１０の長手方向の両側面には、防草機能を備えた互いに上下に噛み込み式の上下連結部を有する。この上下連結部は、図２（ｂ）に示すように、第一ブロック１０の右側面から略半分の厚みの下部を側方に突出して形成し、右側端に上方に突出した突出部３２ａが短手方向に連続して形成された下連結部３２と、第一ブロック１０の左側面から略半分の厚みの上部を側方に突出して形成し、左側端に下方に突出した突出部３３ａが短手方向に連続して形成された上連結部３３とにより構成される。また、上連結部３３と下連結部３２には、短手方向（横方向）の連結の位置決めのためのガイドピン３０（図３参照）の挿入口３１が、短手方向の左右略中央部の上下の位置にそれぞれ形成されている。
【００２８】
第二ブロック２０の長手方向の両側面にも、上述した第一ブロック１０と同様に、防草機能を備えた互いに上下に噛み込み式の上下連結部が設けられている。図１〜５に示す実施形態では、基本的に第一ブロック１０と第二ブロック２０とは、プレートＰの連結溝１４が第一ブロック１０の左右両側面のうちの一側面（図４では右側面）の法面側１０ａの下端部に形成されており、プレートＰの連結溝２４が第二ブロック２０の左右両側面のうちの一側面（図４では右側面）の路肩側２０ｂの上端部に形成されていること以外は同じ構成である。これにより、工場等でプレキャストコンクリートの第一ブロック１０及び第二ブロック２０を同じ型枠を使用して製造し、製造した後にプレートＰの連結溝１４、２４を、第一ブロック１０及び第二ブロック２０のそれぞれの所定の位置に形成することで、第一ブロック１０及び第二ブロック２０を製造する型枠の数を減らすことができる。
【００２９】
上記構成の第一ブロック１０及び第二ブロック２０の上下連結部は、図３に示すように、第一ブロック１０及び第二ブロック２０の右側面の下連結部３２に、隣接する第一ブロック１０及び第二ブロック２０の左側面の上連結部３３を上部から噛み合わるようにして設置する。このとき、上連結部３３と下連結部３２のそれぞれ上下に設けられた挿入口３１には、上下端を細く形成した円筒状のガイドピン３０が挿入されて設置される。これにより、図５に示すように、本実施形態の路肩用防草ブロック１の施工現場において、第一ブロック１０及び第二ブロック２０を水平の横方向に連続して設置する場合に、横方向（水平方向）に容易に位置決めして設置することができるようにしている。
【００３０】
ここで、第一ブロック１０及び第二ブロック２０の左右側面の上下連結部（下連結部３２及び上連結部３３）は、隣接する下連結部３２と上連結部３３とが密着する構成ではなく、ガイドピン３０で横方向に位置決めされて設置されるだけである。この構成により、本実施形態の路肩用防草ブロック１が設置される路肩の水平な平坦面Ｈと法面Ｎとが、横方向に緩やかに湾曲していた場合でも、隣接する下連結部３２と上連結部３３とが密着せず空間を有しているため、この空間で湾曲を吸収して第一ブロック１０及び第二ブロック２０を設置することができる。このとき、上下連結部（下連結部３２及び上連結部３３）に隙間が発生する場合は、モルタル等により隙間が補修される。
【００３１】
また、下連結部３２の右側端の短手方向に連続して形成された突出部３２ａは、上述した、第一ブロック１０の段差面１５の上面に形成された凸条部１２と同様に、横方向に連結した第一ブロック１０及び第二ブロック２０の連結部（接続面）に雑草が生育することを防ぐための防草対策として機能する。
【００３２】
以下、図４を参照して、第一ブロック１０と第二ブロック２０との垂直方向の連結を詳説する。図４に示すように、第一ブロック１０の法面側１０ａ（図１参照）の左右両側面のうちの一側面の下部には、プレートＰの連結溝１４が形成されている。第二ブロック２０の路肩側２０ｂ（図１参照）の左右両側面のうちの一側面の下部には、プレートＰの連結溝２４が形成されている。この連結溝１４及び連結溝２４には、略中央部にボルト挿入用の雌ネジであるボルト締結穴１４ａ（図２参照）、２４ａ（図６参照）がそれぞれ形成されている。
【００３３】
第一ブロック１０と第二ブロック２０とを垂直方向に連結する鉄製の矩形板状のプレートＰは、両端から中央にかけて横方向に長い楕円形に形成されたボルト挿入孔ＰＬ、ＰＲが設けられている。このボルト挿入孔ＰＬ、ＰＲに、雄ネジであるボルトＢをそれぞれボルト締結穴１４ａ、２４ａに締結することにより、第一ブロック１０の法面側の左右両側面のうちの一側面と第二ブロック２０の路肩側の左右両側面のうちの一側面が連結される。
【００３４】
このとき、プレートＰのボルト挿入孔ＰＬ、ＰＲを介して、ボルト締結穴１４ａ、２４ａに締結するボルトＢの締結位置を横方向に調整することで、第一ブロック１０と第二ブロック２０と長手方向の隙間（間隔）を調整することができる。すなわち、図４（ａ）に示すように、第一ブロック１０と第二ブロック２０との隙間（間隔）を狭くすることで、側面視で第一ブロック１０に「へ」字状に連結される第二ブロック２０の連結角度を小さくすることができる。以下、図４（ｂ）、図４（ｃ）に示すように、第一ブロック１０と第二ブロック２０との隙間（間隔）を大きくすることで、側面視で第一ブロック１０に「へ」字状に連結される第二ブロック２０の連結角度を段階的に大きくすることができる。
【００３５】
つまり、プレートＰの横方向に長い楕円形に形成された左右のボルト挿入孔ＰＬ、ＰＲは、路肩用防草ブロック１が設置される路肩の法面Ｎの傾斜角度に応じて、第一ブロック１０の法面側の下縁部に連結される第二ブロック２０の連結部の取付角度を調整可能とする機能を有するものである。なお、第一ブロック１０と第二ブロック２０との連結部分に生じる隙間（間隔）は、設置した後にモルタルＭにより埋められて補修される。
【００３６】
図５に示すように、路肩用防草ブロック１を構成する第一ブロック１０が路肩の平坦面Ｈに設置され、第二ブロック２０が路肩の法面Ｎの傾斜角度に応じて、側面視「へ」字状に設置される。つまり、本実施形態の路肩用防草ブロック１は、路肩の平坦面及び法面Ｎの境界部をそれぞれ被覆して、法面Ｎの勾配に応じて設置することができるように構成されている。さらに、第一ブロック１０と道路のアスファルトＡｓとの重複部、第一ブロック１０と第二ブロック２０との横方向の連結部にはそれぞれ防草機能を有する突起（段差面１５の凸条部１２、下連結部３２の突出部３２ａ）を設けているため、連結部に雑草が生える恐れのない路肩用防草ブロック１を提供することができる。
【００３７】
図５に示す、路肩用防草ブロック１の設置は、まず、路肩の平坦面Ｈと法面Ｎと境界部に左端から、路肩用防草ブロック１を構成する第一ブロック１０を路肩の平坦面Ｈに設置し、第二ブロック２０を路肩の法面Ｎの傾斜角度に応じて設置する。そして、プレートＰを介して、法面Ｎの傾斜角度に応じて、第一ブロック１０と第二ブロック２０をボルトＢで連結する。続いて、平坦面Ｈに既に設置した第一ブロック１０の右側端の下連結部３２と、新しく設置する第一ブロック１０左側端の上連結部３３とを上下に噛み込ませて設置する。法面Ｎに既に設置した第二ブロック２０の右側端の下連結部３２と、新しく設置する第二ブロック２０の左側端の上連結部３３とを上下に噛み込ませて設置する。そして、プレートＰを介して、法面Ｎの傾斜角度に応じて、新しく設置した第一ブロック１０と第二ブロック２０をボルトＢで連結する。上記手順を繰り返すことで、路肩の平坦面Ｈと法面Ｎと境界部に左側から路肩用防草ブロック１を横方向（水平方向）に順次設置する。
【００３８】
上記実施形態では、路肩用防草ブロック１を構成する１個の第一ブロック１０を路肩の平坦面Ｈに、１個の第二ブロック２０を路肩の法面Ｎの設置する構成を説明してきたが、路肩の法面Ｎには１個の第二ブロック２０が設置されるのではなく、路肩の法面Ｎの長さ（高さ）に応じて複数の第二ブロック２０が設置される場合がある。以下、路肩の法面Ｎの長さに応じた複数の第二ブロック２０の設置を、図６を参照して説明する。
【００３９】
図６に示すように、路肩の法面Ｎの長さに応じて設置される複数（図中は４個）の第二ブロック２０は、短手方向の一側面の上下端の下部に連結溝２４がそれぞれ形成されている。この連結溝２４には、略中央部にボルト挿入用の雌ネジであるボルト締結穴２４ａがそれぞれ設けられている。そして、路肩の水平な平坦面Ｈに設置された第一ブロック１０の法面Ｎ側の一側面の下部に形成されたプレートＰの連結溝１４と、路肩の法面Ｎに設置された第二ブロック２０の路肩側の一側面の下部に形成されたプレートＰの連結溝２４とを、プレートＰのボルト挿入孔ＰＬ、ＰＲを介してボルトＢを挿入して締結する。このとき、第一ブロック１０と第二ブロック２０との長手方向の連結部は、モルタルＭが埋め込まれて補修される。
【００４０】
路肩の法面Ｎに設置された第二ブロック２０の下端の一側面の下部に形成された連結溝２４と、第二ブロック２０の上端の一側面の下部に形成された連結溝２４とを、プレートＰのボルト挿入孔ＰＬ、ＰＲを介してボルトＢを挿入して締結する。以下、順次この手順を繰り返すことで、法面Ｎに複数（図中は４個）の第二ブロック２０が下方に向かって延長して連結される。なお、第一ブロック１０及び第二ブロック２０の横方向の上下連結部（下連結部３２及び上連結部３３）の構成は、既に上述しているので説明は省略する。
【００４１】
これにより、図７に示すように、傾斜面を有する土地に盛土や切土を行って形成された、道路の平坦面Ｈと下方に傾斜する法面Ｎの境界部に、所定長さの法面Ｎを覆うように、路肩用防草ブロック１を構成する第一ブロックと第二ブロックとを一体として設置することができる。
【００４２】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００４３】
１    路肩用防草ブロック
１０  第一ブロック
１１  貫通孔
１２  凸条部
１３  突起
１４  連結溝
１５  段差面
２０  第二ブロック
２１  貫通孔
２３  突起
２４  連結溝
３０  ガイドピン
３１  挿入口３１
３２  下連結部
３３  上連結部
Ａｓ  アスファルト
Ｂ    ボルト
Ｈ    平坦面
Ｎ    法面
Ｐ    プレート
ＰＬ  ボルト挿入孔
ＰＲ  ボルト挿入孔
【要約】
【課題】路肩の水平な平坦面と法面とをそれぞれ被覆する二種類のブロックを、法面の勾配に応じて設置することができるように構成するとともに、二種類のブロック間の連結部から雑草が生える恐れのない路肩用防草ブロックを提供する。
【解決手段】第一ブロックの法面側の一側面と第二ブロックの一側面とを、法面の傾斜角度に応じた角度で連結プレートにより連結し、第一ブロック及び第二ブロックの底面には、滑り止めの複数の突起物を形成し、第一ブロックの道路側には、長手方向の上面に防草機能を有する凸条部を形成し、第一ブロックと第二ブロックの短手方向は、防草機能を備えた互いに上下に噛み込み式の短手方向の位置決めのためのガイドピンの挿入口を形成した上下連結部を有し、第一ブロックと第二ブロックには、路肩の平坦面及び法面に固設するための杭の貫通孔が複数設けられている路肩用防草ブロックとした。
【選択図】図１【図１】
0006788926.tif 000002
【図２】
0006788926.tif 000003
【図３】
0006788926.tif 000004
【図４】
0006788926.tif 000005
【図５】
0006788926.tif 000006
【図６】
0006788926.tif 000007
【図７】
0006788926.tif 000008